(57)【要約】【課題】本発明は、メンテナンス性の高い燃料電池システムの配置構造を提供する。【解決手段】通路９０に設置される燃料電池ユニット１２と、前記通路９０の長さ方向Ｎで前記燃料電池ユニット１２に並設され、該燃料電池ユニット１２に配管を介して接続される給湯器ユニット１４と、を備え、前記燃料電池ユニット１２又は前記給湯器ユニット１４の一方のユニットの通路幅方向ＴＷの奥行寸法が他方のユニットの奥行寸法より短く設定され、該他方のユニットのメンテナンスが行われるメンテナンス面が前記一方のユニット側に設定されている。【選択図】図３
2018156881.tif 000002
【特許請求の範囲】
【請求項１】
通路に設置される燃料電池ユニットと、
前記通路の長さ方向で前記燃料電池ユニットに並設され、該燃料電池ユニットに配管を介して接続される給湯器ユニットと、
を備え、
前記燃料電池ユニット又は前記給湯器ユニットの一方のユニットの通路幅方向の奥行寸法が他方のユニットの奥行寸法より短く設定され、該他方のユニットのメンテナンスが行われるメンテナンス面が前記一方のユニット側に設定されている燃料電池システムの配置構造。
【請求項２】
前記他方のユニットの前記メンテナンス面が前記通路の長さ方向側の端部に設定されている請求項１記載の燃料電池システムの配置構造。
【請求項３】
前記配管が前記他方のユニットの前記メンテナンス面側から延出している請求項１又は請求項２記載の燃料電池システムの配置構造。
【発明の詳細な説明】
【技術分野】
【０００１】
本発明は、燃料電池システムの配置構造に関する。
【背景技術】
【０００２】
従来、水素と酸素との化学的反応を利用して発電する燃料電池システムが知られている（例えば、特許文献１参照）。
【０００３】
この燃料電池システムは、燃料電池ユニットと蓄熱ユニットとを備えている。燃料電池ユニットと蓄熱ユニットとは、燃料電池ユニットの改質器からの改質器排ガスの排出方向と、蓄熱ユニットの加熱装置からの加熱装置排ガスの排出方向とが向かい合うように配置されており、両者は、架台に固定され一体化されている。
【０００４】
燃料電池ユニットと蓄熱ユニットとは、所定の離間距離をおいて配置されており、その離間距離は、排気空間およびメンテナンススペースを確保できる距離とされている。
【先行技術文献】
【特許文献】
【０００５】
【特許文献１】特開２００８−２６２８４９号公報
【発明の概要】
【発明が解決しようとする課題】
【０００６】
しかしながら、このような燃料電池システムの配置構造にあっては、架台で一体化された燃料電池ユニットと蓄熱ユニットとの間がメンテナンススペースとされているため、保守点検作業性（以下メンテナンス性という）が悪いという問題があった。
【０００７】
本発明は、このような事情に鑑みてなされたものであり、メンテナンス性の高い燃料電池システムの配置構造を提供することを目的とする。
【課題を解決するための手段】
【０００８】
第一態様では、通路に設置される燃料電池ユニットと、前記通路の長さ方向で前記燃料電池ユニットに並設され、該燃料電池ユニットに配管を介して接続される給湯器ユニットと、を備え、前記燃料電池ユニット又は前記給湯器ユニットの一方のユニットの通路幅方向の奥行寸法が他方のユニットの奥行寸法より短く設定され、該他方のユニットのメンテナンスが行われるメンテナンス面が前記一方のユニット側に設定されている。
【０００９】
すなわち、燃料電池ユニット又は給湯器ユニットの一方のユニットの奥行寸法は、他方のユニットの奥行寸法より短く設定されている。このため、他方のユニットと通路側縁との間が狭く立ち入れない場合であっても、一方のユニットと通路側縁との間は広くでき、アクセス空間を確保することができる。
【００１０】
これにより、一方のユニットが配置された通路の一方側からアクセスすることで、他方のユニットのメンテナンス（保守点検）が可能となり、メンテナンス性が向上する。また、通路の他方が閉鎖された袋小路に設置した場合であっても、他方のユニットのメンテナンスが可能となる。
【００１１】
第二態様では、前記他方のユニットの前記メンテナンス面が前記通路の長さ方向側の端部に設定されている。
【００１２】
すなわち、他方のユニットのメンテナンス面が通路の長さ方向側に設定されているので、通路の長さ方向からメンテナンスを行うことができる。
【００１３】
第三態様では、前記配管が前記他方のユニットの前記メンテナンス面側から延出している。
【００１４】
すなわち、他方のユニットからは、一方のユニット側に位置するメンテナンス面側から配管が延出している。
【００１５】
このため、一方のユニットと逆側から配管が延出する場合と比較して、配索作業が容易となる。また、配管を短くすることができ、低コスト化を図ることができる。
【発明の効果】
【００１６】
第一態様の燃料電池システムの配置構造により、メンテナンス性の向上を図ることができる。
【図面の簡単な説明】
【００１７】
【図１】本発明の第一実施形態に係る燃料電池システムの配置構造が適用される燃料電池システムを示す斜視図である。
【図２】同実施形態の燃料電池システムを示すブロック図である。
【図３】同実施形態の燃料電池システムの配置構造を示す平面図である。
【図４】第二実施形態に係る燃料電池システムの配置構造を示す平面図である。
【図５】第三実施形態に係る燃料電池システムの配置構造を示す平面図である。
【発明を実施するための形態】
【００１８】
（第一実施形態）
以下、第一実施形態に係る燃料電池システムの配置構造を図１〜図３を参照しつつ説明する。
【００１９】
この燃料電池システム１０は、図１に示したように、燃料ガス及び水を用いて発電を行う燃料電池ユニット１２と、燃料電池ユニット１２で加熱された上水を目的の温度まで加熱する給湯器ユニット１４とを備えている。
【００２０】
燃料電池ユニット１２の筐体１２ａは、奥行寸法より幅寸法が長い直方体形状に形成されている。長手方向ＮＨに位置する左側面１２ｅから右側面１２ｆまでの幅寸法をＷ１、底面１２ｇから天面１２ｈまでの高さ寸法をＨ１、短手方向ＴＨに位置する正面１２ｄから背面１２ｃまでの奥行寸法をＤ１とすると、奥行寸法Ｄ１より幅寸法Ｗ１が長い（Ｄ１＜Ｗ１）。
【００２１】
なお、燃料電池ユニット１２の正面１２ｄ及び背面１２ｃは、説明の都合上付した名称であり、表面の意匠性の違いや設置状態での向きを限定するものではない。また、燃料電池ユニット１２の左側面１２ｅ及び右側面１２ｆも、説明の都合上付した名称であり、表面の意匠性の違いや設置状態での向きを限定するものではない。
【００２２】
筐体１２ａの右側面１２ｆは、燃料電池側メンテナンス面１２ｂを構成している。ここで、メンテナンス面とは、保守点検を行う際にその一部または全部が開放される面を言う。燃料電池側メンテナンス面１２ｂは、例えばフレームにヒンジを介して固定された扉構造や、周縁部がネジで固定された取り外し可能なパネル構造が挙げられる。これにより、燃料電池側メンテナンス面１２ｂを開放することで、燃料電池ユニット１２内部のメンテナンスが行える。
【００２３】
この燃料電池側メンテナンス面１２ｂには、排気部の一例である排気口１３が設けられている。また、燃料電池側メンテナンス面１２ｂには、配管および配線の接続作業を行うための配管・配線部１２ｉが設けられており、燃料電池ユニット１２に接続された配管や配線類が延出するように構成されている。なお、このようなメンテナンス面を、追加的に例えば天面１２ｈ、背面１２ｃ、正面１２ｄに設定しても良い。
【００２４】
給湯器ユニット１４は、高さ寸法が横幅や奥行寸法より長い直方体形状に形成されており、下側を構成する下部構成部１６と、上側を構成する給湯器本体１８と備えている。下部構成部１６としては、一例として据置台が挙げられる。
【００２５】
ここで、本実施形態では、給湯器本体１８の下部に据置台等の下部構成部１６を設けて給湯器本体１８を設置する場合について説明するが、これに限定されるものではない。例えば、給湯器本体１８を建物壁に据え付ける壁掛けタイプの場合、据置台等の下部構成部１６は不要となる。
【００２６】
下部構成部１６及び給湯器本体１８からなる給湯器ユニット１４の筐体１４ａは、左側面１４ｅから右側面１４ｆまでの幅寸法をＷ２、底面１４ｇから天面１４ｈまでの高さ寸法をＨ２、正面１４ｄから背面１４ｃまでの奥行寸法をＤ２とすると、高さ寸法Ｈ２は、幅寸法Ｗ２や奥行寸法Ｄ２より長い（Ｈ２＞Ｗ２、Ｈ２＞Ｄ２）。
【００２７】
なお、給湯器ユニット１４の正面１４ｄ及び背面１４ｃは、説明の都合上付した名称であり、表面の意匠性の違いや設置状態での向きを限定するものではない。また、給湯器ユニット１４の左側面１４ｅ及び右側面１４ｆも、説明の都合上付した名称であり、表面の意匠性の違いや設置状態での向きを限定するものではない。
【００２８】
給湯器本体１８の筐体１８ａの右側面（給湯器ユニット１４の右側面１４ｆの上部）は、排気口を有する給湯器側メンテナンス面１８ｂを構成しており、給湯器側メンテナンス面１８ｂは、例えばフレームにヒンジを介して固定された扉構造や、周縁部がネジで固定された取り外し可能なパネル構造が挙げられる。これにより、給湯器側メンテナンス面１８ｂを開放することで、給湯器本体１８内部のメンテナンスが行える。
【００２９】
また、下部構成部１６の筐体１６ａの右側面（給湯器ユニット１４の右側面１４ｆの下部）も、例えばメンテナンス面１６ｂを構成しており、このメンテナンス面１６ｂは、例えばフレームにヒンジを介して固定された扉構造や、周縁部がネジで固定された取り外し可能なパネル構造が挙げられる。これにより、メンテナンス面１６ｂを開放することで、例えば給湯器本体１８に接続された配管等のメンテナンスが行える。
【００３０】
そして、給湯器ユニット１４の奥行寸法Ｄ２は、燃料電池ユニット１２の奥行寸法Ｄ１より短く設定されている。
【００３１】
一例としての寸法を挙げて説明する。奥行寸法Ｄ１は、３５０ｍｍに設定されており、奥行寸法Ｄ２は、２５０ｍｍに設定されている。ここで、この給湯器ユニット１４としては、外形寸法がそれぞれ異なる標準タイプやスリムタイプやコンパクトタイプが用意されており、どのタイプの給湯器ユニット１４を利用しても良い。
【００３２】
燃料電池システム１０の燃料電池ユニット１２は、図２に示すように、発電を行う燃料電池モジュール２０を備えている。燃料電池モジュール２０は、ガス供給路２１を介して、ガス継手２２に接続されており、ガス継手２２には、ガス管２４が接続されている。ガス管２４からは炭化水素原料の一例であるメタンを主成分とする都市ガスまたはプロパン・ブタンを主成分に持つ液化石油ガスが燃料として供給される。ガス供給路２１には、脱硫部２６が設けられており、供給されるガスに含まれた硫黄分や硫黄化合物が脱硫部２６で除去されて燃料電池モジュール２０に供給される。なお、図２には、都市ガスを用いた場合が一例として挙げられている。
【００３３】
また、燃料電池モジュール２０は、供給ポンプ２８を有する改質水流入路３０を介して改質水タンク３２に接続されており、燃料電池モジュール２０には、改質水タンク３２に貯留された改質水が供給ポンプ２８で供給される。この燃料電池モジュール２０は、都市ガスまたは液化石油ガスと改質水とを改質反応させて水素等を生成する図外の改質器を備えている。
【００３４】
この燃料電池モジュール２０は、改質器で生成した水素とブロア２０ａで送られた空気中の酸素を利用して発電を行う図示しない発電部を備えている。燃料電池モジュール２０の発電部からの直流電力は、インバーター回路３８によって交流電力に変換された後、接続端子４０に接続された電源コード９２を介して外部へ供給される。
【００３５】
燃料電池モジュール２０には、改質や発電でガスを利用する際に発生した排ガスを排出する排出路３４が接続されている。排出路３４には、排気熱交換機３６が設けられており、排気熱交換機３６より下流側が改質水タンク３２に接続されている。燃料電池モジュール２０からの燃焼排ガスは、排気熱交換機３６で冷却され、含有した水蒸気が凝縮される。これにより、燃焼排ガスは、液体と気体とに分けられ、液体は改質水タンク３２へ送られて改質水として再利用される。また、気体は、図１に示したように、燃料電池側メンテナンス面１２ｂの排気口１３より排気される。
【００３６】
排気熱交換機３６には、供給路４２が接続されている。供給路４２には、熱回収ポンプ４４及びラジエータ４６が設けられており、供給路４２は、ラジエータ４６の上流側が貯湯タンク４８に接続されている。貯湯タンク４８には、伝熱媒体５０が貯留されており、伝熱媒体５０としては、一例として水が使用されている。
【００３７】
この供給路４２は、貯湯タンク４８の下部に接続されており、貯湯タンク４８の下部に貯留した伝熱媒体５０が優先的に排気熱交換機３６へ送られる。貯湯タンク４８から供給路４２に供給された伝熱媒体５０は、ラジエータ４６で冷却された後、熱回収ポンプ４４によって排気熱交換機３６へ送られる。なお、ラジエータ４６は、図示しないラジエータファンを備えており、供給される伝熱媒体５０が高温の際など必要に応じてファンモータを作動する。
【００３８】
排気熱交換機３６には、排出路５２が接続されており、排気熱交換機３６を通過した伝熱媒体５０は、排出路５２を介して貯湯タンク４８に戻される。排出路５２は、貯湯タンク４８の上部に接続されている。燃料電池モジュール２０からの燃焼排ガスの熱は、排気熱交換機３６によって伝熱媒体５０へ移動され、この熱で加熱された伝熱媒体５０は、貯湯タンク４８の上部に戻される。
【００３９】
貯湯タンク４８に貯留された伝熱媒体５０は、上水熱交換器５４及び加熱ポンプ５６を有した循環路５８を介して貯湯タンク４８へ戻される。加熱ポンプ５６は、貯湯タンク４８の伝熱媒体５０で上水を加熱する際に作動する。
【００４０】
循環路５８の上流側は、貯湯タンク４８の上部に接続されており、貯湯タンク４８の上部に貯留された伝熱媒体５０が優先的に上水熱交換器５４へ供給される。循環路５８の下流側は、貯湯タンク４８の下部に接続されており、上水熱交換器５４で熱が奪われた伝熱媒体５０は、貯湯タンク４８の下部側に戻される。
【００４１】
上水熱交換器５４には、流入側分岐点６０ａを有する流入路６０が接続されている。流入路６０は、入側管継手６２に接続されている。入側管継手６２は、例えば水道管の給水管６４に接続されており、流入路６０には、上水が供給される。
【００４２】
上水熱交換器５４には、流出路６６が接続されている。流出路６６には、流出側分岐点６６ａが設けられており、流出側分岐点６６ａには、補水弁６８を有した補水路７０が接続されている。補水路７０は、貯湯タンク４８の上部に接続されており、補水弁６８を開作動することで、上水熱交換器５４からの上水を伝熱媒体５０として貯湯タンク４８の上部から供給することができる。
【００４３】
流出路６６の流出側分岐点６６ａの下流には、混合弁７２が設けられている。混合弁７２は、バイパス路７４を介して流入側分岐点６０ａに接続されている。混合弁７２は、流入路６０からの上水と上水熱交換器５４からの上水とを混合する弁であり、例えば流出温が予め定められた設定温度となるように、流入路６０からの上水と上水熱交換器５４からの上水との混合比を調整する。
【００４４】
流出路６６の混合弁７２より下流側は、出側継手７６が接続されており、出側継手７６は、出湯管７８を介して、給湯器ユニット１４の入水継手８０に接続されている。
【００４５】
給湯器ユニット１４のガス継手８２には、ガス管２４が接続されており、給湯器ユニット１４には、ガス管２４から都市ガスまたはプロパン・ブタンを主成分に持つ液化石油ガスが供給される。また、給湯器ユニット１４の給湯継手８４には、給湯管８６が接続されている。この給湯器ユニット１４は、都市ガスまたはプロパン・ブタンを主成分に持つ液化石油ガスを燃焼することで、入水継手８０より供給された上水を、図外のリモコンで設定された温度まで加熱し給湯管８６によって供給する。
【００４６】
なお、本実施形態では、燃料電池ユニット１２からのガス管２４と給湯器ユニット１４からのガス管２４とを互いに接続してガス供給源に接続する場合について説明したが、これに限定されるものではない。燃料電池ユニット１２からのガス管２４と給湯器ユニット１４からのガス管２４とを、それぞれ独立してガス供給源に接続してもよい。
【００４７】
図３は、燃料電池システム１０の配置構造を示す図であり、燃料電池システム１０が隣地境界線（後述する通路９０の他側縁９０ｂ）に沿って延在する通路９０に設置された状態が示されている。この通路９０は、長さ方向Ｎの一方Ｉが閉鎖された袋小路で構成されている。
【００４８】
この通路９０には、長さ方向Ｎの一方Ｉ側に燃料電池ユニット１２が設置されており、その燃料電池側メンテナンス面１２ｂが長さ方向Ｎの他方Ｔ側に位置するように配置されている。この燃料電池ユニット１２は、一例として通路幅方向ＴＷにおいて通路９０の建物１１０側の一側縁９０ａ寄りに配置されており、燃料電池ユニット１２の背面１２ｃが一側縁９０ａ側に位置するように配置されている。
【００４９】
また、燃料電池ユニット１２より通路９０の長さ方向Ｎの他方Ｔ側には、給湯器ユニット１４が設置されている。これにより、燃料電池ユニット１２の燃料電池側メンテナンス面１２ｂが給湯器ユニット１４側に位置するように構成されている。
【００５０】
この給湯器ユニット１４は、給湯器本体１８の給湯器側メンテナンス面１８ｂ及び下部構成部１６のメンテナンス面１６ｂが他方Ｔ側に位置するように配置されている（図１参照）。この給湯器ユニット１４も、通路幅方向ＴＷにおいて通路９０の一側縁９０ａ寄りに配置されており、給湯器ユニット１４の背面１４ｃが一側縁９０ａ側に位置するように配置されている。
【００５１】
燃料電池ユニット１２の燃料電池側メンテナンス面１２ｂ側からは、ガス管２４と出湯管７８と給水管６４が延出している。各管２４、６４、７８は、燃料電池ユニット１２の右側面１２ｆにおける通路９０の一側縁９０ａ側から延出しており、通路９０の一側縁９０ａに沿って配索されている。
【００５２】
給水管６４は、水道管の配水管に接続されており、ガス管２４は、給湯器ユニット１４の左側面１４ｅに接続されるとともに、ガス本管に接続されている。また、出湯管７８は、給湯器ユニット１４の左側面１４ｅに接続されている。
【００５３】
燃料電池ユニット１２の燃料電池側メンテナンス面１２ｂ側からは、燃料電池ユニット１２へ給電を行う給電線や燃料電池ユニット１２で発電した電力を供給する供給線を有した電源コード９２が延出している。この給電線や供給線は、同一の線で共用しても良い。また、燃料電池側メンテナンス面１２ｂからは、例えば電流監視線やリモコン線や停電時発電コンセントや給湯器ユニット１４に接続される電源線等も延出する場合がある。
【００５４】
電源コード９２は、通路９０の一側縁９０ａ側から延出しており、通路９０の一側縁９０ａに沿って配索されている。この電源コード９２は、通路９０の一側縁９０ａ側に設けられた配電盤９４に接続されており、この配電盤９４を介して商用電源に接続されている。
【００５５】
なお、本実施形態では、配電盤９４を燃料電池ユニット１２と給湯器ユニット１４との間に設けた場合を例に挙げて説明したが、これに限定されるものではない。配電盤９４は、作業者がアクセスしてメンテナンスすることができれば、例えば燃料電池ユニット１２の一方Ｉ側や、燃料電池ユニット１２の裏側や、給湯器本体１８の裏側や、給湯器本体１８より他方Ｔ側に設けても良い。
【００５６】
給湯器ユニット１４からは、給湯管８６が背面１４ｃ側から延出しており、給湯管８６は、建物１１０内でお湯が利用される箇所へ配索されている。また、給湯器ユニット１４からは、電源コード９６が背面１４ｃ側から延出しており、電源コード９６は、商用電源に接続されている。なお、この電源コード９６は、商用電源に代えて燃料電池ユニット１２に接続しても良い。
【００５７】
ここで、通路９０の他側縁９０ｂを構成する隣地境界線から通路９０の一側縁９０ａを構成する建物１１０までの最小距離は、隣地境界線から建物１１０の外壁１１０ａまでの離間距離を定める法律（境界線付近の建物の制限：民法２３４条）によって定められている。
【００５８】
通路９０の他側縁９０ｂを構成する隣地境界線は、隣接した敷地と敷地の境界の線を示し、通路９０の一側縁９０ａは、建物１１０の外壁１１０ａとの境を示す。そして、通路９０は、隣地境界線と建物１１０の外壁１１０ａとの間に建物１１０に沿って形成された長さ方向Ｎに細長い領域（例えば５６０ｍｍ以上）を示す。
【００５９】
燃料電池ユニット１２の奥行寸法Ｄ１は、燃料電池ユニット１２と通路９０の一側縁９０ａとの間に設置条件である離間距離Ｒ１のスペースを確保しても、燃料電池ユニット１２の正面１２ｄと通路９０の他側縁９０ｂ間に第一通路幅ＴＷ１の第一スペース１００を形成できるように設定されている。
【００６０】
一方、給湯器ユニット１４の奥行寸法Ｄ２は、燃料電池ユニット１２の奥行寸法Ｄ１より短く設定されている。そして、給湯器ユニット１４と通路９０の一側縁９０ａとの間に設置条件である離間距離Ｒ２のスペースを確保しても、給湯器ユニット１４の正面１４ｄと通路９０の他側縁９０ｂとの間に、第一通路幅ＴＷ１より広い第二通路幅ＴＷ２の第二スペース１０２を形成できるように給湯器ユニット１４の奥行寸法Ｄ２が設定されている。
【００６１】
例えば、通路幅ＴＷ０が、５６０ｍｍの通路９０に設置する場合について具体的に説明する。設置条件に基づいて燃料電池ユニット１２と通路９０の一側縁９０ａとの間の離間距離Ｒ１を、１０ｍｍとする。通路幅方向ＴＷの燃料電池ユニット１２の奥行寸法Ｄ１は、３５０ｍｍである。これらから、燃料電池ユニット１２と通路９０の他側縁９０ｂとの間の第一通路幅ＴＷ１は、２００ｍｍとなる。
【００６２】
また、設置条件に基づいて給湯器ユニット１４と通路９０の一側縁９０ａとの間の離間距離Ｒ２を、１０ｍｍとする。通路幅方向ＴＷの給湯器ユニット１４の奥行寸法Ｄ２は、２５０ｍｍである。これらから、給湯器ユニット１４と通路９０の他側縁９０ｂとの間の第二通路幅ＴＷ２は、３００ｍｍとなり、第二通路幅ＴＷ２の第二スペース１０２によって、人が通行できるアクセス空間を形成することができる。
【００６３】
なお、「境界線付近の建物の制限」に基づく隣地境界線から建物１１０の外壁１１０ａまでの最小距離は、５００ｍｍである。そして、通路幅ＴＷ０を、５００ｍｍとした場合、第二通路幅ＴＷ２は、２４０ｍｍとなり、この場合でも人が通行できるアクセス空間を第二スペース１０２によって形成することができる。
【００６４】
次に、本実施形態の作用及び効果について説明する。
【００６５】
本実施形態にあっては、燃料電池ユニット１２と給湯器ユニット１４とは、固定されておらず、それぞれ任意の位置に配置することができる。このため、燃料電池ユニット１２と給湯器ユニット１４とを架台で一体化して位置決めする場合と比較して、配置の自由度が向上するとともに、設置場所への搬入が容易となる。
【００６６】
また、給湯器ユニット１４の奥行寸法Ｄ２は、燃料電池ユニット１２の奥行寸法Ｄ１より短く設定されている。このため、燃料電池ユニット１２と通路９０の他側縁９０ｂとの間に形成された第一スペース１００の第一通路幅ＴＷ１が狭く立ち入れない場合であっても、給湯器ユニット１４と通路９０の他側縁９０ｂとの間に形成された第二スペース１０２の第二通路幅ＴＷ２を広くでき、燃料電池側メンテナンス面１２ｂへのアクセス空間を確保することができる。
【００６７】
これにより、給湯器ユニット１４が配置された通路９０の他方Ｔ側からアクセスすることで、燃料電池ユニット１２のメンテナンスが可能となり、メンテナンス性が向上する。また、本実施形態のように、燃料電池側メンテナンス面１２ｂが他方Ｔ側にあるため、通路９０の一方Ｉが閉鎖された袋小路に設置した場合であってもメンテナンスが可能となる。
【００６８】
したがって、配置の自由度を維持しつつ、メンテナンス性の向上を図ることができる。
【００６９】
このとき、燃料電池ユニット１２の燃料電池側メンテナンス面１２ｂは、通路９０の長さ方向Ｎ側に設定されている。このため、燃料電池側メンテナンス面１２ｂが通路９０の通路幅方向ＴＷに設定された場合と比較して、通路幅ＴＷ０による規制を受けることなく、メンテナンスを行うことができる。
【００７０】
また、燃料電池ユニット１２からは、給湯器ユニット１４側に位置する燃料電池側メンテナンス面１２ｂ側からガス管２４や給水管６４や出湯管７８の配管および配線が延出している。
【００７１】
このため、給湯器ユニット１４と逆側から各管２４、６４、７８が延出する場合と比較して、配索作業が容易となる。また、配索される配管および配線を短くすることができ、低コスト化を図ることができる。
【００７２】
なお、本実施形態では、給湯器ユニット１４の奥行寸法Ｄ２を燃料電池ユニット１２の奥行寸法Ｄ１より短く設定したが、これに限定されるものではない。例えば、燃料電池ユニット１２の奥行寸法Ｄ１を、給湯器ユニット１４の奥行寸法Ｄ２より短く設定しても良く、この場合、燃料電池ユニット１２と給湯器ユニット１４との配置を入れ替えるものとする。
【００７３】
また、本実施形態では、燃料電池ユニット１２の右側面を燃料電池側メンテナンス面１２ｂとし、燃料電池側メンテナンス面１２ｂを通路９０の長さ方向Ｎ側に設定したが、これに限定されるものではない。
【００７４】
例えば、燃料電池ユニット１２の正面１２ｄや背面１２ｃや天面１２ｈに燃料電池側メンテナンス面を設けても良い。また、正面１２ｄや背面１２ｃや天面１２ｈに設ける燃料電池側メンテナンス面は、燃料電池ユニット１２の右側面の燃料電池側メンテナンス面１２ｂに代えて設ける他、燃料電池ユニット１２の右側面の燃料電池側メンテナンス面１２ｂに加えて設けても良い。
【００７５】
また、本実施形態では、給湯器ユニット１４における給湯器本体１８の右側面が給湯器側メンテナンス面１８ｂを構成し、下部構成部１６の右側面がメンテナンス面１６ｂを構成する場合を例に挙げて説明したが、これに限定されるものではない。
【００７６】
例えば、給湯器ユニット１４における給湯器本体１８の左側面を給湯器側メンテナンス面とし、下部構成部１６の左側面をメンテナンス面としても良い。この場合、燃料電池ユニット１２と給湯器ユニット１４との間のスペースにおいて、燃料電池ユニット１２と給湯器ユニット１４とのメンテナンスを行うことができる。また、給湯器本体１８の給湯器側メンテナンス面１８ｂと、下部構成部１６のメンテナンス面１６ｂとを逆向きに設けても良い。
【００７７】
なお、本実施形態では、通路９０の長さ方向Ｎの一方Ｉ側に燃料電池ユニット１２を配置し、他方Ｔ側に給湯器ユニット１４を配置したが、これに限定されるものではない。
【００７８】
例えば、通路９０の一方Ｉ側が解放されていれば、通路９０の一方Ｉ側に給湯器ユニット１４を配置し、他方Ｔ側に燃料電池ユニット１２を配置してもよい。この場合、燃料電池側メンテナンス面１２ｂが給湯器ユニット１４側に位置するように燃料電池ユニット１２を配置する。
【００７９】
（第二実施形態）
図４は、第二実施形態を示す図であり、給湯器ユニット１４の給湯器本体１８の正面１４ｄを給湯器側メンテナンス面１８ｃとし、下部構成部１６の正面をメンテナンス面としてもよい。このような給湯器ユニット１４を、幅広の幅広領域１２０を有する通路９０に設置する場合、給湯器ユニット１４の各メンテナンス面１８ｃを通路幅方向ＴＷへ向けて配置する。
【００８０】
これにより、幅広領域１２０からメンテナンスが行えるとともに、給湯器側メンテナンス面１８ｃの排気口からの排気を幅広領域１２０へ向けて排出することができる。
【００８１】
なお、本実施形態では、図４中、通路９０左側に燃料電池ユニット１２を配置し、通路９０右側の幅広領域１２０に給湯器ユニット１４を配置するとともに、各メンテナンス面１８ｃが通路幅方向ＴＷを向くように給湯器ユニット１４を設置したが、これに限定されるものではない。
【００８２】
例えば、通路９０左側に幅広領域１２０が形成された場合には、通路９０左側の幅広部１２０に給湯器ユニット１４を配置し、通路９０右側に燃料電池ユニット１２を配置してもよい。この場合、給湯器ユニット１４の各メンテナンス面１８ｃが通路幅方向ＴＷを向くように設置する。
【００８３】
（第三実施形態） 
図５は、第三実施形態を示す図であり、燃料電池システム１０が建物１１０の角部に沿って形成された通路９０のコーナー部分に設置されている。
【００８４】
本実施形態では、図５中上側に位置する通路９０部分に、燃料電池ユニット１２が設置されており、図５中左側に位置する通路９０部分に、給湯器ユニット１４が設置されている。
【００８５】
この通路９０の延在方向において、奥行寸法Ｄ１が長い燃料電池ユニット１２の燃料電池側メンテナンス面１２ｂが、奥行寸法Ｄ２が短い給湯器ユニット１４側を向くように、燃料電池ユニット１２が配置されている。
【００８６】
このような配置構造であっても、第一実施形態と同様の作用効果を奏することができる。
【００８７】
なお、各実施形態では、各配管等を燃料電池ユニット１２と建物１１０との間に配索した場合にいて説明したが、これに限定されるものではない。例えば、燃料電池ユニット１２と建物１１０の反対側の通路に配索したり、燃料電池ユニット１２の下部空間に配索したり、燃料電池ユニット１２の下部の地中に配索してもよい。
【符号の説明】
【００８８】
１０    燃料電池システム
１２    燃料電池ユニット
１２ｂ  燃料電池側メンテナンス面
１４    給湯器ユニット
２４    ガス管
６４    給水管
７８    出湯管
９０    通路
９０ａ  一側縁
Ｉ      一方
Ｔ      他方
Ｎ      長さ方向
ＴＷ    通路幅方向
【図１】
2018156881.tif 000003
【図２】
2018156881.tif 000004
【図３】
2018156881.tif 000005
【図４】
2018156881.tif 000006
【図５】
2018156881.tif 000007
【手続補正書】
【提出日】平成29年6月14日(2017.6.14)
【手続補正１】
【補正対象書類名】明細書
【補正対象項目名】０００８
【補正方法】変更
【補正の内容】
【０００８】
第一態様では、通路に設置されガスを利用して発電する燃料電池ユニットと、前記通路の長さ方向で前記燃料電池ユニットに並設され、該燃料電池ユニットに配管を介して接続されるとともに、ガスを燃焼して前記燃料電池ユニットからの上水を設定温度まで加熱して供給する給湯器ユニットと、を備え、前記燃料電池ユニット又は前記給湯器ユニットの一方のユニットの通路幅方向の奥行寸法が他方のユニットの奥行寸法より短く設定され、該他方のユニットのメンテナンスが行われるメンテナンス面が前記一方のユニット側に設定され、前記燃料電池ユニットに接続されたガス管と前記給湯器ユニットに接続されたガス管とを接続してガス供給源に接続する接続点が前記燃料電池ユニットと前記給湯器ユニットとの間に設けられている。
【手続補正２】
【補正対象書類名】明細書
【補正対象項目名】００４６
【補正方法】変更
【補正の内容】
【００４６】
なお、本実施形態では、燃料電池ユニット１２からのガス管２４と給湯器ユニット１４からのガス管２４とを互いに接続してガス供給源に接続する場合について説明した。
一方、燃料電池ユニット１２からのガス管２４と給湯器ユニット１４からのガス管２４とを、それぞれ独立してガス供給源に接続してもよい。
【手続補正３】
【補正対象書類名】特許請求の範囲
【補正対象項目名】全文
【補正方法】変更
【補正の内容】
【特許請求の範囲】
【請求項１】
通路に設置されガスを利用して発電する燃料電池ユニットと、
前記通路の長さ方向で前記燃料電池ユニットに並設され、該燃料電池ユニットに配管を介して接続されるとともに、ガスを燃焼して前記燃料電池ユニットからの上水を設定温度まで加熱して供給する給湯器ユニットと、
を備え、
前記燃料電池ユニット又は前記給湯器ユニットの一方のユニットの通路幅方向の奥行寸法が他方のユニットの奥行寸法より短く設定され、該他方のユニットのメンテナンスが行われるメンテナンス面が前記一方のユニット側に設定され、
前記燃料電池ユニットに接続されたガス管と前記給湯器ユニットに接続されたガス管とを接続してガス供給源に接続する接続点が前記燃料電池ユニットと前記給湯器ユニットとの間に設けられている燃料電池システムの配置構造。
【請求項２】
前記他方のユニットの前記メンテナンス面が前記通路の長さ方向側の端部に設定されている請求項１記載の燃料電池システムの配置構造。
【請求項３】
前記配管が前記他方のユニットの前記メンテナンス面側から延出している請求項１又は請求項２記載の燃料電池システムの配置構造。